(57)【要約】【課題】台座、上蓋、共通端、N.C端、N.O端、バネ及び押し部材からなるマイクロスイッチを提供する。【解決手段】上蓋は貫通孔とインパクト部を有し、押し部材はキーボード部とカンムを含む。キーボード部は上蓋の貫通孔を貫通し、カンムとインパクト部が接触し合い、インパクト部又は押し部材のカンムは振動吸収材により製作する。【選択図】図２
2008171789.tif 000002
【特許請求の範囲】
【請求項１】
台座と、
貫通孔とインパクト部からなる上蓋と、
前記台座の一端に設置し凸点を有する共通端と、
前記台座の他端に設置するN.O端と、
前記N.O端の一側端に設置するN.C端と、
一端を前記凸点と接続し、他端を前記N.C端と接続するバネと、
キーボード部と前記キーボード部の周囲に設置するカンムからなり、前記キーボード部は前記上蓋の前記貫通孔を貫通し、前記カンムと前記インパクト部が接触し合う押し部材とを含み、
前記インパクト部或いは前記キーボード部の前記カンムは振動吸収材により製作することを特徴とするマイクロスイッチ。
【請求項２】
前記共通端、前記N.O端、前記N.C端は金属により製作されることを特徴とする請求項1に記載するマイクロスイッチ。
【請求項３】
前記振動吸収材はゴム、シリコンゴム及び熱可塑性の弾性体を含むことを特徴とする請求項１に記載するマイクロスイッチ。
【発明の詳細な説明】
【技術分野】
【０００１】
本発明はマイクロスイッチに関し、特にノイズを抑えたマイクロスイッチに関する。
【背景技術】
【０００２】
昨今の情報化時代において、パソコン等の電子設備はとうに普及し、各家庭の殆どに一台以上のパソコンが有り、マウスはパソコンとユーザーとの橋渡しの役目を負っており、その重要性は疑うべくも無い。このため近年マウス装置の改良等に関する発明件数が年々増加している。
【０００３】
機械式マウス、光学式マウスに拘わらず、何れも左右のキーを具え、ユーザーがマウスの左右のキーを押下すると、キー下方のマイクロスイッチを触発してそれに対応する指令を発する。然しながら、従来のマイクロスイッチを押下すると大きなノイズを生じ、こうした状況では、例えば多数の人々が会議室でマウスを操作すると、このマイクロスイッチが発するノイズでユーザーに不都合が生じる。このため低ノイズのマイクロスイッチが必要となる。
【発明の開示】
【発明が解決しようとする課題】
【０００４】
本発明の目的はマイクロスイッチ、特に操作ノイズを抑えたマイクロスイッチを提供することにある。
【課題を解決するための手段】
【０００５】
好ましい実施例において、本発明は以下の特徴からなるマイクロスイッチを提示する。当該マイクロスイッチは台座と、貫通孔とインパクト部かなる上蓋と、台座の一端に設置し凸点を有する共通端と、台座の他端に設置するＮ.Ｏ端と、Ｎ.Ｏ端の側端に設置するＮ.Ｃ端と、一端を凸点と接続し他端をＮ.Ｃ端と接続するバネからなり、さらに、キーボード部とキーボード部の周囲に設置したカンムからなる押し部材を含み、そのうち、キーボード部は上蓋の貫通孔を貫通してカンムとインパクト部を接触させ、またインパクト部或いはキーボード部のカンムは振動吸収材で製作される。
【０００６】
好ましい実施例において、共通端、Ｎ.Ｏ端、Ｎ.Ｃ端は金属により製作される。
【０００７】
好ましい実施例において、振動吸収材はゴム、シリコンゴム及び熱可塑性の弾性体（thermoplastic  rubber，ＴＰＲ）を含む。
【発明を実施するための最良の形態】
【０００８】
上記の従来技術で述べたように、マイクロスイッチが発するキーノイズを改善するために、本発明ではマイクロスイッチ操作時に生ずるノイズを抑えることができるマイクロスイッチを提示する。
【０００９】
まずマイクロスイッチの構造を説明する。図１は従来のマイクロスイッチの構造側面図である。マイクロスイッチ１００は台座１０１、押し部材１１０及び上蓋１０２からなる。上蓋１０２には貫通孔１０３が有る。このほかに、マイクロスイッチ１００はさらに下記の部材を含む。共通端１０５は台座１０１の一端に設置され、且つ共通端１０５上には凸点１０６が有る。Ｎ.Ｏ端１０７は台座１０１の他端に設置され、また、Ｎ.Ｏ端１０７に側端にＮ.Ｃ端１０８を設ける。このほか、バネ１０９の一端と共通端１０５の凸点１０６とが接触し、また、その他端はＮ.Ｃ端１０８と接触する。押し部材１１０はキーボード部１１１及びカンム１１２からなり、押し部材１１０のキーボード部１１１は上蓋１０２の貫通孔１０３を貫通してキーボード部１１１の周囲にあるカンム１１２と上蓋１０２のインパクト部１０４とを接触させる。そのうち、カンム１１２は押し部材１１０が貫通孔１０３から滑り出すのを防止する役目をする。
【００１０】
マイクロスイッチ１００は主にバネ１０９と共通端１０５、Ｎ.Ｏ端１０７及びＮ.Ｃ端１０８間の接触状態によってスイッチ信号を発する。バネ１０９の一端は共通端１０５上の凸点１０６と接触しており、力が加わらない状態（図１の実線で示したバネ１０９）において、バネ１０９の他端とＮ.Ｃ端１０８が接触して回路を形成し、マイクロスイッチ１００に禁止信号を出す。マイクロスイッチ１００の押し部材１１０が押下されると、押し部材１１０がバネ１０９を押し下げ、バネ１０９をＮ.Ｃ端１０８から離してＮ.Ｏ端１０７と接触させ（図１の点線で示したバネ１０９）、この際共通端１０５はバネ１０９を通じてＮ.Ｏ端１０７と回路を形成し、マイクロスイッチ１００にオン信号を発する。押し部材１１０が受けた外力が解除されると、バネ１０９は押し部材１１０に押下されなくなり、Ｎ.Ｏ端１０７から離れてＮ.Ｃ端１０８との接触状態に戻る。
【００１１】
押し部材１１０が押下されると、前記押し部材１１０は下方移動してバネ１０９を押さえつけて、バネ１０９の一端はＮ.Ｏ端１０７と接触して回路を形成し、オン信号を発する。押し部材１１０を押さえている外力が消滅すると、バネ１０９の弾力が押し部材１１０を力を受ける以前のポジションに戻し、押し部材１１０が原状に戻ると、押し部材１１０のカンム１１２は上蓋のインパクト部１０４に突き当たる。本発明人は、従来のマイクロスイッチ１００の上蓋１０２と押し部材１１０が何れも硬質のプラスチックで製作されているために、押し部材１１０のカンム１１２と上蓋１０２のインパクト部１０４が突き当たるときに大きめのノイズが起こり、これがマイクロスイッチ１００の操作ノイズの主たる原因であることを発見した。
【００１２】
図２a、bは本発明のマイクロスイッチの上蓋と台座を分離した概略図である。マイクロスイッチ２００は、台座２０１、上蓋２０２及び押し部材２１０からなり、台座２０１上には共通端２０５、Ｎ.Ｏ端２０７、Ｎ.Ｃ端２０８及びバネ２０９を取り付けている。上蓋２０２には貫通孔２０３があり、貫通孔２０３の周囲の二つの短い縁はインパクト部２０４となっている。本発明のマイクロスイッチ２００では、共通端２０５は台座２０１の一端に設置され、共通端２０５には凸点２０６がある。Ｎ.Ｏ端２０７は台座２０１の他端に設置され、Ｎ.Ｃ端２０８はＮ.Ｏ端２０７の側端に位置する。バネ２０９の一端は共通端２０５の凸点２０６に接続し、その他端はＮ.Ｃ端２０８と接触している。押し部材２１０はキーボード部２１１及びカンム２１２からなり、カンム２１２はキーボード部２１１の周囲に設置されており、キーボード部２１１は上蓋２０２の貫通孔２０３を貫通してカンム２１２を上蓋２０２のインパクト部２０４と接触させ、キーボード部２１１はバネ２０９と接触している。
【００１３】
共通端２０５、Ｎ.Ｏ端２０７、Ｎ.Ｃ端２０８及びバネ２０９は回路を形成してマイクロスイッチ２００が正常に作動するようにしている。本発明のマイクロスイッチ２００の作動原理は従来と同様であるので詳しくは述べない。
【００１４】
以上述べたマイクロスイッチの操作ノイズの出所分析に基いて、本発明はマイクロスイッチを操作する際に発生するノイズを抑えるために、特にインパクト部２０４若しくは押し部材２１０上のカンム２１２の材質を振動吸収材に交換している。
【００１５】
好ましい実施例において、インパクト部２０４をゴム、シリコンゴム、熱可塑性の弾性体（thermoplastic  rubber，ＴＰＲ）等の振動吸収材で製作しており、その他の部品は上蓋２０２のインパクト部２０４以外の部分及び押し部材２１０全体の材質はそのまま変えずにプラスチックで製作している。図３で示すように、マイクロスイッチ２００が作動する際、押し部材２１０のキーボード部２１１が上蓋２０２の貫通孔２０３を通って、カンム２１２がインパクト部２０４と接触して突き当たる。インパクト部２０４は振動吸収材で造られているため、前記両者の衝突による衝撃力はインパクト部２０４に吸収され、また、インパクト部２０４の振動吸収材が軟質であるため、硬質のカンム２１２が軟質のインパクト部２０４に突き当たると、インパクト部２０４は突き当たった時の音を吸収して操作ノイズを抑える効果を果たすのである。また、上蓋２０２その他の部分の材質はインパクト部２０４の材質と異なるが、ダブル・インジェクション技術で上蓋２０２を一体成形の方法で製作することができる。
【００１６】
また別の好ましい実施例では、本発明は押し部材２１０のカンム２１２を振動吸収材で製作している。このようにカンム２１２がインパクト部２０４と衝突する際、押し部材２１０のカンム２１２自体の振動吸収能力がマイクロスイッチ２００の操作時に生ずるノイズを抑えることができるのである。押し部材２１０のキーボード部２１１とカンム２１２の材質は異なるものの、ダブル・インジェクション技術で押し部材２１０を一体成形で製作することもできる。所謂振動吸収材は本実施例で具体的に列挙した材質に限られず、押し部材、カンム若しくはインパクト部の材質を変えることでマイクロスイッチの操作ノイズを抑えるものは全て本発明の範疇に属する。上記内容は本発明の好ましい実施例に過ぎず、本発明の特許申請範囲を限定するものではなく、また、本発明で開示した趣旨を逸脱しない範囲において完成した等価改変若しくは補正は、全て本案における特許申請の範囲内に含まれるものとする。
【図面の簡単な説明】
【００１７】
【図１】従来のマイクロスイッチの構造側面図である。
【図２】a、bは本発明のマイクロスイッチの上蓋と台座を分離した概略図である。
【図３】本発明のマイクロスイッチの断面概略図である。
【符号の説明】
【００１８】
１００、２００  マイクロスイッチ
１０２、２０２  上蓋
１０４、２０４  インパクト部
１０６、２０６  凸点
１０８、２０８  N.C端
１１０、２１０  押し部材
１１２、２１２  カンム
１０１、２０１  台座
１０３、２０３  貫通孔
１０５、２０５  共通端
１０７、２０７  N.O端
１０９、２０９  バネ
１１１、２１１  キーボード部
【図１】
2008171789.tif 000003
【図２】
2008171789.tif 000004
【図３】
2008171789.tif 000005